(57)【要約】【課題】左右横方向への施錠装置の位置ズレを修正して良好に施錠を行うことができるゲーム機の施錠装置を提供する。【解決手段】鉤部材ユニット１の基枠体の上部と下部に鉤部材が傾動可能に枢支され、上下の鉤部材が基枠体に沿って摺動可能に配設された連結杆６により連結される。連結杆６に係合部が設けられ、シリンダ錠ユニット１１の基枠体の取付板にシリンダ錠１７がその錠軸を内側に入れて取り付けられ、錠軸１７ｃに係合部材１８が固定され、係合部材には前扉の閉鎖時に連結杆の係合部と係合可能な係合凸部１８ａが設けられる。シリンダ錠ユニット１１の基枠体１２に位置ズレ修正部材２５が取り付けられ、位置ズレ修正部材２５には閉鎖時に鉤部材ユニット１の基枠体２の一部に接触してシリンダ錠ユニット１１を左または右方向に移動させるための傾斜部２５ａが設けられる。【選択図】図５
2005058314.tif 000002
【特許請求の範囲】
【請求項１】
鉤部材を有した鉤部材ユニットがゲーム機の筐体に取り付けられ、該鉤部材が係止される係止部とシリンダ錠を有したシリンダ錠ユニットが前扉に取り付けられ、該筐体に対し該前扉を閉鎖したとき、該鉤部材が係止部に係止されて施錠されるゲーム機の施錠装置であって、
該鉤部材ユニットの基枠体の上部と下部に鉤部材が傾動可能に枢支され、上下の該鉤部材が基枠体に沿って摺動可能に配設された連結杆により連結され、該連結杆に係合部が設けられ、該シリンダ錠ユニットの基枠体の取付板にシリンダ錠がその錠軸を内側に入れて取り付けられ、該錠軸に係合部材が固定され、該係合部材には前扉の閉鎖時に連結杆の係合部と係合可能な係合凸部が設けられ、該シリンダ錠ユニットの基枠体に位置ズレ修正部材が取り付けられ、該位置ズレ修正部材には閉鎖時に該鉤部材ユニットの基枠体の一部に接触してシリンダ錠ユニットを左または右方向に移動させるための傾斜部が設けられたことを特徴とするゲーム機の施錠装置。
【請求項２】
前記位置ズレ修正部材は、プラスチックにより成形されると共に、前部に傾斜部が施錠装置の背面側に向って先細り形状となるように傾斜して設けられたことを特徴とする請求項１記載のゲーム機の施錠装置。
【請求項３】
取付板と支持板を有する縦長の基枠体における支持板の上部と下部に、鉤部材が傾動可能に枢支され、基枠体内に摺動可能に配設された連結杆が上下の鉤部材に連結され、連結杆には施錠方向に付勢するためのコイルばねが掛けられ、取付板にシリンダ錠がその錠軸を内側に挿入するように取り付けられ、錠軸の先端にカム部材が固定され、基枠体がゲーム機の前扉に取り付けられ、鉤部材の係合する受け金具がゲーム機の筐体に取り付けられ、前扉の閉鎖時に鉤部材が受け金具に係止されて施錠され、錠軸の回動時にカム部材が回動して連結杆に係合し、連結杆を摺動させて解錠するゲーム機の施錠装置において、
基枠体に位置ズレ修正部材が取り付けられ、位置ズレ修正部材には受け金具に設けた接触部に接触して該基枠体及び前扉を左または右方向に移動させるための傾斜部が設けられたことを特徴とするゲーム機の施錠装置。
【発明の詳細な説明】
【技術分野】
【０００１】
本発明は、パチンコ機、スロットマシン等のゲーム機の前扉を筐体に対し施錠する施錠装置に関し、特に、前扉の変形などに伴う施錠装置の位置ズレを修正しながら良好に施錠することができるゲーム機の施錠装置に関する。
【背景技術】
【０００２】
従来、パチンコ機、スロットマシンなどのゲーム機の前扉を筐体に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、一般に使用されている（例えば下記特許文献１を参照）。
【特許文献１】実公昭５７−８８６７号公報
【発明の開示】
【発明が解決しようとする課題】
【０００３】
この種の施錠装置は、通常、基枠体が前扉の内側に取り付けられ、鉤部材が係合する受け金具が筐体の内側に取り付けられ、前扉を筐体に対し閉じると、鉤部材がコイルばねの付勢力に抗して回動し、元の位置に戻ることにより、鉤部材が受け金具の係止部に係止され、施錠状態となる。
【０００４】
ところで、近年、パチンコ機、スロットマシンの前扉本体はプラスチックにより一体成形されるものがあり、周知のように、そこには、照明装飾器具、回胴リール、表示装置など各種の電気部品、装飾部品、操作部品などが装着され、前扉の重量は重くなっている。しかるに、前扉の開閉操作性を考慮して、前扉本体はできるだけ軽くする成形されており、プラスチック製の前扉本体の肉厚は可能な限り薄く形成される。
【０００５】
しかし、軽量化のために、プラスチック製の前扉の肉厚が薄くなると、前扉は通常、左端に設けた蝶番を介して開閉自在に取り付けられるため、前扉の荷重モーメントが側部の蝶番を支点に大きく発生し、前扉の右端が下がり、その右端上部が外側に出るように変形し易くなっている。
【０００６】
このため、この種のゲーム機においては、従来、施錠装置の基枠体の下部などに支持ローラを軸支し、筐体側の内側下部に、その支持ローラが乗り上げるための支持板を水平に取り付け、前扉が閉鎖時に、支持ローラが筐体側の支持板に乗り上げることにより、前扉の下がり変形を修正し、施錠装置の鉤部材が適正に受け金具に係止するようにしている。
【０００７】
しかるに、このような支持ローラと支持板により前扉の下方への垂れ下がりを修正した場合であっても、左右横方向への前扉の変形による施錠装置の位置ズレは修正することができず、前扉の左右横方向の変形が大きい場合には、施錠装置の鉤部材が受け金具の係止部に正しく係合せず、施錠が不完全になる虞があった。
【０００８】
本発明は、上記の点に鑑みなされたもので、左右横方向への施錠装置の位置ズレを修正して良好に施錠を行うことができるゲーム機の施錠装置を提供することを目的とする。
【課題を解決するための手段】
【０００９】
このために、本発明の請求項１のゲーム機の施錠装置は、鉤部材を有した鉤部材ユニットがゲーム機の筐体に取り付けられ、鉤部材が係止される係止部とシリンダ錠を有したシリンダ錠ユニットが前扉に取り付けられ、筐体に対し前扉を閉鎖したとき、鉤部材が係止部に係止されて施錠されるゲーム機の施錠装置であって、鉤部材ユニットの基枠体の上部と下部に鉤部材が傾動可能に枢支され、上下の鉤部材が基枠体に沿って摺動可能に配設された連結杆により連結され、連結杆に係合部が設けられ、シリンダ錠ユニットの基枠体の取付板にシリンダ錠がその錠軸を内側に入れて取り付けられ、錠軸に係合部材が固定され、係合部材には前扉の閉鎖時に連結杆の係合部と係合可能な係合凸部が設けられ、シリンダ錠ユニットの基枠体に位置ズレ修正部材が取り付けられ、位置ズレ修正部材には閉鎖時に鉤部材ユニットの基枠体の一部に接触してシリンダ錠ユニットを左または右方向に移動させるための傾斜部が設けられたことを特徴とする。
【００１０】
ここで、請求項２のように、上記位置ズレ修正部材は、プラスチックにより成形されると共に、前部に傾斜部が施錠装置の背面側に向って先細り形状となるように傾斜して設けることができる。
【００１１】
また、請求項３のゲーム機の施錠装置は、取付板と支持板を有する縦長の基枠体における支持板の上部と下部に、鉤部材が傾動可能に枢支され、基枠体内に摺動可能に配設された連結杆が上下の鉤部材に連結され、連結杆には施錠方向に付勢するためのコイルばねが掛けられ、取付板にシリンダ錠がその錠軸を内側に挿入するように取り付けられ、錠軸の先端にカム部材が固定され、基枠体がゲーム機の前扉に取り付けられ、鉤部材の係合する受け金具がゲーム機の筐体に取り付けられ、前扉の閉鎖時に鉤部材が受け金具に係止されて施錠され、錠軸の回動時にカム部材が回動して連結杆に係合し、連結杆を摺動させて解錠するゲーム機の施錠装置において、基枠体に位置ズレ修正部材が取り付けられ、位置ズレ修正部材には受け金具に設けた接触部に接触して基枠体及び前扉を左または右方向に移動させるための傾斜部が設けられたことを特徴とする。
【発明の効果】
【００１２】
上記構成の請求項１の施錠装置は、ゲーム機の前扉の内側にシリンダ錠ユニットが取り付けられ、その筐体内に鉤部材ユニットが、その鉤部材をシリンダ錠ユニット側の係止部に対応した位置に配置し、且つそのシリンダ錠の係合部材の係合凸部を連結杆の係合部に対応した位置に配置して取付けられる。
【００１３】
この施錠装置は、ゲーム機の前扉にシリンダ錠ユニットが取り付けられ、その筐体に連結杆と鉤部材を備えた鉤部材ユニットが取り付けられるため、一般的なゲーム機の施錠装置のように受け金具以外の全ての部材を取り付けた施錠装置本体を前扉の内側に取り付ける場合に比べ、シリンダ錠ユニットの大きさ及び重さは小形で軽量となる。しかしながら、前扉には、通常、照明装飾器具、回胴リール、表示装置など各種の電気部品、装飾部品、操作部品などが装着され、前扉の重量は重くなっており、例えば左端に設けた蝶番を介して前扉が開閉自在に装着されている場合、前扉の荷重モーメントは側部の蝶番を支点に前扉の右端が下がるように作用し、前扉本体がプラスチックにより形成されている場合、例えばその右端上部が外側に出るように変形し易い。
【００１４】
しかし、この施錠装置では、ゲーム機の筐体に対し前扉を閉じると、シリンダ錠ユニットの上部と下部に設けた係止部が筐体側の鉤部材ユニットの鉤部材に当たりながら前進し、それにより上下の鉤部材が傾動して係止部に係止され、施錠されるが、このとき、シリンダ錠ユニットの基枠体に設けた位置ズレ修正部材が、その傾斜部を鉤部材ユニットの基枠体の一部に接触させながら前進し、シリンダ錠ユニットを例えば左方向に動かして、右側への位置ズレを修正し、鉤部材が係止部に正しく係止されるように作用する。
【００１５】
これによって、前扉本体の右端上部が例えば外側に出るように変形しシリンダ錠ユニットの位置が前扉に向って右側に位置ズレする状態であっても、その位置ズレが修正され、シリンダ錠ユニットの係止部に対し鉤部材ユニットの鉤部材が正しく係止される。よって、前扉の左右横方向の変形が大きい場合であっても、鉤部材が係止部に正しく係合し、確実に施錠することができる。そして、このような正常な施錠状態において、シリンダ錠の錠軸に固定した係合部材の係合凸部は、鉤部材ユニット側の連結杆の係合部に対峙する位置まで進入する。
【００１６】
解錠する際には、前扉の前面に露出するシリンダ錠の鍵穴にキーを差し込み、一方向に回すと、シリンダ錠の錠軸と係合部材が回動し、これにより、係合部を介して係合する連結杆が摺動し、上下の鉤部材が傾動して、係合部との係合を解除し解錠され、前扉が開放される。
【００１７】
また、請求項３の施錠装置は、ゲーム機の前扉の内側に縦に固定され、ゲーム機の筐体側には、鉤部材が係止される受け金具が対応位置に固定される。この場合も、例えば左端に設けた蝶番を介して前扉が開閉自在に装着されている場合、前扉の荷重モーメントは側部の蝶番を支点に前扉の右端が下がるように作用し、また、前扉本体がプラスチックにより形成されている場合、その右端上部が外側に出るように変形し易い。
【００１８】
しかし、このような場合であっても、前扉を筐体に対し閉じる際、基枠体に設けた位置ズレ修正部材の傾斜部が、受け金具に設けた接触部に接触して基枠体及び前扉を左方向に移動させて位置ズレを修正するように作用する。したがって、前扉の左右横方向の変形が大きい場合であっても、施錠装置の鉤部材が受け金具の係止部に正しく係合し、施錠を良好に行うことができる。
【発明を実施するための最良の形態】
【００１９】
以下、本発明の実施例を図面に基づいて説明する。図１はスロットマシン用の施錠装置の鉤部材ユニット１の正面図、図２はその左側面図を示している。それらの図において、２は鋼板をプレス加工して形成された縦長の基枠体であり、平板で帯状の取付板３を主体に薄形に形成され、取付板３には複数の取付孔が穿設される。取付板３の前面側の縁には、小さくＬ形に曲げるようにして曲折縁部３ａが長手方向に沿って形成され、この曲折縁部３ａは基枠体２の長手方向の曲げ強度を上げると共に、筐体２８への装着時に、前扉３０との間の隙間を閉鎖するように作用する。
【００２０】
取付板３の上部寄りに、軸ピン４ｂによって鉤部材４が上側に傾動可能に軸支され、さらに取付板３の下部寄りに、軸ピン５ｂによって鉤部材５が上側に傾動可能に軸支される。鉤部材４，５はフック状に形成され、その係止凹部を下側にして傾動可能に軸支される。また、鉤部材４，５は、基枠体２の取付板３の内側から突出せず、その平面内に位置するように軸支されている。
【００２１】
このように取付板３の平面に沿って回動可能に軸支された鉤部材４，５は、基枠体２の取付板３の取付面と平行に且つその平面内に配設されることになる。さらに、取付板３には連結杆６が上下摺動可能に配設され、連結杆６の上部は連結ピン４ａにより鉤部材４の端部に連結され、連結杆６の下部は連結ピン５ａにより鉤部材５の端部に連結される。
【００２２】
また、連結杆６にはその中間部に長孔６ｂが穿設され、その長孔６ｂにガイドピン７が挿通されて取付板３の上に固定され、これによって、連結杆６はガイドピン７にガイドされて、取付板３上をその長手方向（縦方向）に沿って上下に摺動可能とされる。なお、連結杆６は、長孔とガイドピンによる摺動ガイドの他に、取付板３に切起し部を設け、その切起し部によって連結杆６を摺動可能にガイド保持させることもできる。さらに、連結杆６の中間部には係合部６ａが設けられ、この係合部６ａは、後述のシリンダ錠ユニット１１のシリンダ錠１７の錠軸に固定される係合部材１８上の係合凸部１８ａと係合可能とされる。連結杆６と取付板３の間には、コイルばね８が架け渡され、コイルばね８は連結杆６を上方につまり施錠方向に付勢している。
【００２３】
一方、前扉３０に取り付けられるシリンダ錠ユニット１１は、図３〜図６に示すように、基枠体１２の取付板１３の略中央部に、シリンダ錠１７を取り付けて構成されている。基枠体１２は、細いＬ型のフレーム状に形成され、その正面側に取付板１３が形成され、中央部の取付板が幅広に形成されて取付折曲部とされ、この取付折曲部にシリンダ錠１７が取り付けられる。基枠体１２は全体として取付板１３を主体として薄形に形成され、その上部に受け金具としての係止部１４が形成され、下部に係止部１５が形成されている。この係止部１４，１５は、前扉３０を閉鎖したとき、鉤部材ユニット１の鉤部材４，５が係止され、その鉤部材４，５の対応位置に配置される。
【００２４】
シリンダ錠１７は、ここでは錠の元部に円筒を接続して長尺のシリンダ錠として形成され、その元部にフランジ部１７ａが形成され、フランジ部１７ａの中央に錠軸１７ｃの先端が突出している。錠軸１７ｃの先端に係合部材１８が固定され、係合部材１８には、鉤部材ユニット１側の係合部６ａに係合可能な係合凸部１８ａと、スイッチ作動用の作動片１８ｂが形成されている。さらに、シリンダ錠１７と係止部１４との間の基枠体１２に、枠状の部材取付部１２ａが背面側に突き出して形成され、その部材取付部１２ａに、図７に示すような形状の位置ズレ修正部材２５が取り付けられている。この位置ズレ修正部材２５はプラスチックにより略ブレード状に形成され、先細り形状とされたその先端側の一側面に、傾斜部２５ａが形成されている。
【００２５】
すなわち、位置ズレ修正部材２５は基枠体１２の背面側に向けて取り付けられ、背面側に向かって位置ズレ修正部材２５の先端側の左側に、先端に向って先細り形状となるように傾斜部２５ａが形成されている。また、この位置ズレ修正部材２５には取付孔が穿設され、その孔に対応した部材取付部１２ａの位置にねじ孔が穿設され、その取付孔とねじ孔に固定ねじを挿入して、位置ズレ修正部材２５は締め付け固定される。
【００２６】
係合部材１８に設けた作動片１８ｂは非接触スイッチ１０を動作させるもので、非接触スイッチ１０は、図６に示すように、シリンダ錠１７の近傍の取付板１３上に取り付けられ、光電スイッチ、近接スイッチなどの非接触スイッチから構成される。この非接触スイッチ１０は、ゲームのリセットスイッチなどとして使用されるもので、シリンダ錠１７の操作により作動片１８ｂが非接触スイッチ１０の内側に挿入してスイッチング作動させる。
【００２７】
さらに、シリンダ錠ユニット１１の正面側のシリンダ錠１７の下側に、前扉３０の下部に開閉可能に配設される下パネル３１を施錠するための下パネル施錠部材２０が配設されている。この下パネル施錠部材２０は板状に形成され、上部と下部にフック状の鉤部２１，２２が前面に向けて且つフックを上側に向けて突設される。図５、６に示すように、シリンダ錠ユニット１１の基枠体１２の取付板１３には、その中央から下部寄りの正面側に、突出部が設けられ、その突出部に下パネル施錠部材２０がピンとガイド孔の嵌合により上下摺動可能に保持されている。
【００２８】
また、図３に示すように、下パネル施錠部材２０と取付板１３との間にはコイルばね２４が装着され、下パネル施錠部材２０はコイルばね２４により上方の施錠側に付勢されている。さらに、下パネル施錠部材２０の下部に解錠操作用の操作部２３が内側に曲折して設けられ、この操作部２３を押し下げて下パネル施錠部材２０を下方に摺動させることにより、下パネル３１の解錠操作が行なわれる。
【００２９】
一方、取付板１３の下部には、ローラ用の支持板９が略水平に設けられ、前扉３０の閉鎖時にシリンダ錠ユニット１１側の支持ローラ１９が支持板９上に乗り上げてそれを支持し、前扉自由端側がその自重により下がった場合、それを持ち上げて上下位置を修正するように作用する。
【００３０】
上記のように構成された施錠装置の鉤部材ユニット１は、図８〜図１０に示すように、ゲーム機の筐体２８の内側の縦枠部分に、その取付板３を側壁に当て、その曲折縁部３ａを筐体２８の前縁部から少し前に出すようにして、且つ鉤部材４、５を前扉３０側に向けて取付けられる。
【００３１】
一方、シリンダ錠ユニット１１は、図８〜図１０に示すように、前扉３０の内側にその基枠体１２の取付板１３を固定して取り付けられる。このとき、基枠体１２の上部と下部に突設した係止部１４，１５は、上記鉤部材ユニット１側の鉤部材４、５に対向した位置に配置される。また、シリンダ錠１７の錠軸に固定した係合部材１８の係合凸部１８ａが、鉤部材ユニット１側の連結杆６の係合部６ａの真上位置に、前扉３０の閉鎖時に進入するように配置される。また、前扉３０の下部には下パネル３１がヒンジを介して開閉可能に装着され、その下パネル３１の自由端側の内側には、図９、１０に示すように、係止部３２，３３が設けられ、下パネル施錠部材２０の鉤部２１，２２が閉鎖時にその係止部３２，３３に係止可能である。
【００３２】
さらに、シリンダ錠ユニット１１の基枠体１２に設けた位置ズレ修正部材２５は、その傾斜部２５ａを鉤部材ユニット１の基枠体２の取付板３の曲折縁部３ａの内側に接触しながら閉鎖するように配置される。基枠体１２の下端部に設けた支持ローラ１９は、鉤部材ユニット２側の支持板９に対応した位置に位置し、前扉３０の閉鎖時の支持板９上に乗り上げるように配置される。
【００３３】
ところで、ゲーム機の筐体２８の内壁に鉤部材ユニット１が取り付けられるが、鉤部材ユニット１の基枠体２は取付板３を主体に薄形に形成されているために、筐体２８の内壁付近の非常に狭いスペースに装着することができる。また、取付板３の曲折縁部３ａは、前扉３０の閉鎖時、前扉３０と筐体２８との隙間を塞ぐように作用し、針金などを差し込んで行う不正解錠を防止できる。
【００３４】
さらに、前扉３０にシリンダ錠ユニット１１が取り付けられるが、その基枠体１２にはシリンダ錠１７、係合部材１８、及び係止部１４，１５が取り付けられるだけであるため、従来の施錠装置のように受け金具以外の全ての部材を取り付けた施錠装置本体を前扉の内側に取り付ける場合に比べ、シリンダ錠ユニット１１の大きさ及び重さを、小形でより軽量とすることができる。これにより、前扉３０の全重量を軽量化することができ、少ない操作力で前扉の開閉を楽に行うことができる。また、シリンダ錠ユニット１１の基枠体１２も、上記と同様に、取付板１３を主体に薄く形成することにより、前扉３０における施錠装置を取り付けるためのスペースを最小とすることができる。
【００３５】
図１０に示すように、ゲーム機の前扉３０を閉じると、前扉３０側のシリンダ錠ユニット１１の上下の係止部１４，１５の上縁部が、筐体２８側の鉤部材ユニット１の上下の鉤部材４、５に当たり、鉤部材４，５がコイルばね８の付勢力に抗して上側に傾動し、鉤部材４，５の係合凹部に係止部の縁部が入ったところで、コイルばね８の付勢力によって鉤部材４，５が水平位置に戻り、その係止部１４，１５に係止される。このとき、図１１、図１２に示すように、シリンダ錠ユニット１１の基枠体１２に設けた位置ズレ修正部材２５が、その傾斜部２５ａを鉤部材ユニット１の基枠体２に接触させながら前進し、シリンダ錠ユニット１１を左方向（前扉の正面に向って左側）に動かして、右側への位置ズレを修正し、鉤部材４，５が係止部１４，１５に正しく係止されるように作用する。
【００３６】
前扉３０がプラスチックで形成されている場合、前扉３０に装着された表示装置、回胴リール、装飾照明装置などの多数の電気機械部品の重量により、前扉３０を支持する蝶番の反対側、つまり前扉に向って右端の施錠装置を取り付けた右端上部が例えば外側に出るように変形しやすい。
【００３７】
しかし、このようにシリンダ錠ユニット１１の位置が前扉３０に向って右側に位置ズレする状態であっても、図１２に示すように、前扉３０の右側への位置ズレが、閉鎖手前の最初の段階でズレ幅Ｓ１であったものが、位置ズレ修正部材２５の作用により、ズレ幅Ｓ２からＳ３へと減少し、最後は位置ズレが０となって前扉３０が閉鎖されるため、シリンダ錠ユニット１１の係止部１４，１５に対し鉤部材ユニット１の鉤部材４，５が正しく係止されることになる。また、このとき、前扉３０側のシリンダ錠ユニット１１の支持ローラ１９が、筐体２８側の鉤部材ユニット１１の支持板９に乗り上げ、これにより前扉３０が支持板９から持上げ力を付与され、重量の重い前扉３０の位置が下方にずれた状態であっても、適正位置に持ち上げられ、上下方向の位置ズレが修正される。
【００３８】
したがって、前扉３０の左右方向や上下方向の位置ズレや変形が生じる場合であっても、鉤部材４，５が係止部１４，１５に正しく係合し、確実に施錠することができる。一方、このような正常な施錠状態において、シリンダ錠１７の錠軸１７ｃに固定した係合部材１８の係合凸部１８ａは、鉤部材ユニット１側の連結杆６の係合部６ａに対峙する位置まで進入する。
【００３９】
前扉３０を解錠する場合は、前扉３０のシリンダ錠１７にキーを差し込み、シリンダ錠１７の錠軸を右側に回すと、係合部材１８が同方向に回転し、その係合部材１８の係合凸部１８ａが、鉤部材ユニット１側の連結杆６の係合部６ａを押し上げるように動作して連結杆６を上方に摺動させる。これにより、上下の鉤部材４、５が軸ピン４ｂ、５ｂを軸に上方に傾動し、前扉３０側のシリンダ錠ユニット１の係止部１４，１５との係合が外れ、前扉３０は解錠される。
【００４０】
前扉３０が開いた状態で、前扉３０の内側に位置する操作部２３を押し下げて下パネル施錠部材２０をコイルばね２４の付勢力に抗して下に摺動させると、下パネル施錠部材２０の鉤部２１，２２が下に摺動して、下パネル３１の内側に設けた係止部３２，３３との係合が外れる。これにより、下パネル３１が解錠され、前扉３０に対し下パネル３１を開き、保守点検などを行なうことができる。
【００４１】
一方、ゲーム機のリセット操作を行なう際には、シリンダ錠１７の鍵穴にキーを差し込み、キーを左側に回して係合部材１８を同方向に回動させる。このとき、係合部材１８の作動片１８ｂが非接触スイッチ１０の検出部（挿入空間）に進入し、非接触スイッチ１０がスイッチング動作を行って、ゲーム機にリセット信号を発生させる。
【００４２】
図１３〜図１６は他の実施形態のゲーム機の施錠装置を示している。この例の施錠装置は、基枠体１０１上に連結杆１０４、鉤部材１０５，１０６などの各部材が取り付けられる構造のものであり、ゲーム機の前扉の内側に取り付けられ、筐体側には、鉤部材に対応した位置に図１６のような受け金具１２６が取り付けられる。
【００４３】
図１３，１４に示すように、基枠体１０１は、断面を略Ｌ形に曲折した縦長の枠状に形成され、取付板１０２と支持板１０３が設けられる。基枠体１０１の支持板１０３の上部と下部に、鉤部材１０５，１０６が枢軸１０７，１０８により傾動可能に枢支され、基枠体１０１内には連結杆１０４が摺動可能に配設される。支持板１０３には切り起し部１０３ａが形成され、連結杆１０４はこれらの切り起し部１０３ａにガイドされて上下摺動する。連結杆１０４の上部がピン１０５ａにより鉤部材１０５に連結され、その下部がピン１０６ａにより鉤部材１０６に連結され、連結杆１０４の下方摺動により鉤部材１０５，１０６が解錠側の下側に傾動する。
【００４４】
また、連結杆１０４には施錠方向に付勢するためのコイルばね１１２が掛けられ、連結杆１０４を上方に付勢する。さらに、取付板１０２の下部寄りに穴が形成され、その穴にシリンダ錠１１７がその錠軸１１７ｃを内側に挿入するように、フランジ部１１７ａを介して取り付けられる。また、シリンダ錠の取付位置近傍の連結杆１０４と支持板１０３の間には、非接触スイッチをオンオフ動作させるための作動杆１１１が摺動可能に配設されている。
【００４５】
シリンダ錠１１７は、その元部に円筒を接続して長尺のシリンダ錠として形成され、元部にフランジ部１１７ａが形成され、フランジ部１１７ａの中央に錠軸１１７ｃの先端が突出して配置される。錠軸１１７ｃの先端にカム部材１１８が固定される。カム部材１１８には、図１４に示すように、錠軸１１７ｃに取り付けられる基部の外周部に、連結杆１０４の係合部側に係合可能な係合凸部１１８ａと、非接触スイッチを作動するための作動部材１１１の係合部に係合可能な係合凸部１１８ｂとが形成されている。
【００４６】
さらに、基枠体１０１の上部には、閉鎖時に施錠装置の位置ズレを修正するために、位置ズレ修正部材１２５が取付ブラケット１２４を介してその取付板１０２の内側に固定される。位置ズレ修正部材１２５は、プラスチックにより略ブレード状に形成され、その前端部の一側に傾斜部１２５ａが形成され、図１６に示すように、閉鎖時に筐体２８側の受け金具１２６の接触部１２６ｂにその傾斜部１２５ａを接触させて進入し、それによって施錠装置の右方向（前扉の正面に向って右側）の位置ズレを修正するように形成されている。一方、基枠体１０１の下部には、支持ローラ１０９が軸支され、前扉の閉鎖時にこの支持ローラ１０９が筐体側に取り付けた支持板上に乗り上げることにより、前扉を持ち上げるように作用し、前扉の下方への位置ズレを修正するようにしている。
【００４７】
このように構成された施錠装置は、図示しないゲーム機の前扉の内側の縦に、鉤部材１０５，１０６を筐体側に向けて固定され、ゲーム機の筐体側には、その鉤部材１０５，１０６に対応した位置に、受け金具１２６等が固定される。図１５に示すように、特にその上部位置に使用される受け金具１２６には、鉤部材１０５が係止される係止部１２６ａが形成されると共に、その上部に、位置ズレ修正部材１２５の傾斜部１２５ａが接触する接触部１２６ｂが設けられている。
【００４８】
このような施錠装置を取り付けた前扉を筐体に対し閉じると、施錠装置の上下の鉤部材１０５，１０６が受け金具１２６の係止部１２６ａ等に当って一旦傾動しながら元の位置に戻るように動作して受け金具１２６等に係止され、施錠状態となる。このとき、基枠体１０１の上部に設けた位置ズレ修正部材１２５は、図１６に示すように、その傾斜部１２５ａが、筐体２８の内側に固定した受け金具１２６の接触部１２６ｂに接触しながら前進して閉鎖される。したがって、このとき、前扉３０にその右端上部（前扉の正面に向って右側）を外側に出すような変形が生じている場合には、位置ズレ修正部材１２５が接触部１２６ｂを右側に押しその反力で施錠装置を左側に移動させるようにして、その変形を修正するように作用する。これにより、前扉３０の右端が右側に変形し位置ズレが生じている場合であっても、鉤部材１０５，１０６が受け金具１２６の係止部１２６ａ等に正しく係合し、確実に且つ正常に施錠することができる。
【００４９】
なお、前扉の形成によっては、前扉の右端が向って右側に出るように変形するだけではなく、左側に変形する不具合が発生する場合がある。このような場合に対応するために、図１７に示すように、位置ズレ修正部材２２５前端部の左右両側に傾斜部２２５ａ、２２５ｂを設け、その両側に傾斜部２２５ａ、２２５ｂを設けた位置ズレ修正部材２２５を、施錠装置の基枠体２１２の一部に取り付け、前扉３０の閉鎖時に、この位置ズレ修正部材２２５を、筐体２８側に固定した基枠体２０２に設けた受け部２０２ａに挿入する構造とする。この受け部２０２ａには、左右両側に傾斜面が形成され、位置ズレ修正部材２２５の前端部の両側の傾斜部２２５ａ、２２５ｂがその左右両側の傾斜面に接触可能とされる。これにより、前扉の右端部が左または右側に変形している場合であっても、その変形による施錠装置の位置ズレを修正することができる。
【００５０】
以上説明したように、本発明のゲーム機の施錠装置によれば、前扉本体の右端上部が例えば外側に出るように変形しシリンダ錠ユニットの位置が前扉に向って右側に位置ズレする状態であっても、前扉の閉鎖時に、その位置ズレが修正され、シリンダ錠ユニットまたは受け金具の係止部に対し基枠体の鉤部材が正しく係止される。よって、前扉の左右横方向の変形が大きい場合であっても、鉤部材が係止部に正しく係合し、確実に且つ正常に施錠することができる。
【図面の簡単な説明】
【００５１】
【図１】本発明の一実施形態を示す鉤部材ユニットの正面図である。
【図２】同鉤部材ユニットの左側面図である。
【図３】シリンダ錠ユニットの正面図である。
【図４】同シリンダ錠ユニットの左側面図である。
【図５】同シリンダ錠ユニットの右側面図である。
【図６】同シリンダ錠ユニットの背面図である。
【図７】位置ズレ修正部材の斜視図である。
【図８】施錠装置を取り付けたゲーム機の一部切り欠き正面図である。
【図９】施錠装置を取り付けたゲーム機の閉鎖状態の左側面図である。
【図１０】施錠装置を取り付けたゲーム機の開放状態の左側面図である。
【図１１】前扉を閉じる際と閉じた状態の施錠装置の位置ズレ修正部材付近の水平断面図である。
【図１２】前扉を閉じる際の位置ズレ修正部材のズレ修正作用を示す水平断面図である。
【図１３】他の実施形態を示す施錠装置の左側面図である。
【図１４】同施錠装置の背面図である。
【図１５】受け金具１２６の斜視図である。
【図１６】前扉閉鎖時の位置ズレ修正部材１２５と受け金具１２６周辺の断面図である。
【図１７】別の実施形態の位置ズレ修正部材２２５と接触部２０２ａの断面図である。
【符号の説明】
【００５２】
１−鉤部材ユニット
２−基枠体
３−取付板
４，５−鉤部材
６−連結杆
６ａ−係合部
１１−シリンダ錠ユニット
１２−基枠体
１３−取付板
１４，１５−係止部
１７−シリンダ錠
１８−係合部材
２５−位置ズレ修正部材
２５ａ−傾斜部
２８−筐体
３０−前扉                                                                               
【図１】
2005058314.tif 000003
【図２】
2005058314.tif 000004
【図３】
2005058314.tif 000005
【図４】
2005058314.tif 000006
【図５】
2005058314.tif 000007
【図６】
2005058314.tif 000008
【図７】
2005058314.tif 000009
【図８】
2005058314.tif 000010
【図９】
2005058314.tif 000011
【図１０】
2005058314.tif 000012
【図１１】
2005058314.tif 000013
【図１２】
2005058314.tif 000014
【図１３】
2005058314.tif 000015
【図１４】
2005058314.tif 000016
【図１５】
2005058314.tif 000017
【図１６】
2005058314.tif 000018
【図１７】
2005058314.tif 000019